(57)【特許請求の範囲】
【請求項１】
ネットワークを介して画像情報を配信する画像処理装置であって、
前記画像情報を配信する先の記憶媒体に含まれるフォルダ構成を取得するフォルダ構成取得部と、
取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定するフォルダ名指定方法決定部と、
前記決定されたフォルダ名の指定方法に基づき、夫々のフォルダ階層毎にフォルダ名を指定するための操作画面を表示部に表示させる操作画面表示処理部と、
前記操作画面において指定された前記夫々のフォルダ階層毎のフォルダ名に基づき、前記画像情報を配信する先のフォルダパスを決定するフォルダパス決定部と、
前記決定したフォルダパスに格納するために前記画像情報を出力する画像情報出力部とを含み、
前記フォルダ名指定方法決定部は、一のフォルダ階層に含まれるフォルダ名が単一であった場合、その単一のフォルダ名をその階層のフォルダ名の既定値として設定することを特徴とする画像処理装置。
【請求項２】
前記フォルダ名指定方法決定部は、一のフォルダ階層に含まれるすべてのフォルダ名の形式が、予め定められた形式と共通である場合、その階層に係るフォルダ名の指定方法を前記共通する形式に従って決定することを特徴とする請求項１に記載の画像処理装置。
【請求項３】
前記フォルダ名指定方法決定部は、一のフォルダ階層に含まれるフォルダにおいて、フォルダ名が重複するフォルダがある場合、その階層に係るフォルダ名の指定方法を、その階層に含まれるフォルダのフォルダ名を選択肢とする方法に決定することを特徴とする請求項１に記載の画像処理装置。
【請求項４】
前記画像情報に含まれる文字を認識して生成された文字情報と前記操作画面において指定された前記夫々のフォルダ階層毎のフォルダ名とを比較することにより、前記操作画面において指定された前記夫々のフォルダ階層毎のフォルダ名の正当性を判断する正当性判断部を含むことを特徴とする請求項１乃至３いずれか１項に記載の画像処理装置。
【請求項５】
前記画像情報に含まれる文字を認識して生成された文字情報に基づき、前記夫々のフォルダ階層毎に決定されたフォルダ名の指定方法に従ってフォルダ名を指定するフォルダ名指定部を含むことを特徴とする請求項１乃至３いずれか１項に記載の画像処理装置。
【請求項６】
ネットワークを介して画像情報を配信する画像処理装置の制御プログラムであって、
前記画像情報を配信する先の記憶媒体に含まれるフォルダ構成を取得するステップと、
取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定するステップと、
一のフォルダ階層に含まれるフォルダ名が単一であった場合、その単一のフォルダ名をその階層のフォルダ名の既定値として設定するステップと、
前記決定されたフォルダ名の指定方法に基づき、夫々のフォルダ階層毎にフォルダ名を指定するための操作画面を表示部に表示させるステップと、
前記操作画面において指定された前記夫々のフォルダ階層毎のフォルダ名に基づき、前記画像情報を配信する先のフォルダパスを決定するステップと、
前記決定したフォルダパスに格納するために前記画像情報を出力するステップとを情報処理装置に実行させることを特徴とする制御プログラム。
【請求項７】
ネットワークを介して画像情報を配信する画像処理装置の制御方法であって、
前記画像情報を配信する先の記憶媒体に含まれるフォルダ構成を取得し、
取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定し、
一のフォルダ階層に含まれるフォルダ名が単一であった場合、その単一のフォルダ名をその階層のフォルダ名の既定値として設定し、
前記決定されたフォルダ名の指定方法に基づき、夫々のフォルダ階層毎にフォルダ名を指定するための操作画面を表示部に表示させ、
前記操作画面において指定された前記夫々のフォルダ階層毎のフォルダ名に基づき、前記画像情報を配信する先のフォルダパスを決定し、
前記決定したフォルダパスに格納するために前記画像情報を出力することを特徴とする制御方法。
【発明の詳細な説明】
【技術分野】
【０００１】
本発明は、画像情報の配信システム、制御プログラム及び制御方法に関し、特に、可搬型情報処理端末への画像情報の配信に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。また、このように電子化された文書を文書管理サーバに蓄積して利用する文書管理システムが知られている。
【０００３】
このような文書管理システムにおいては、ＭＦＰに備わっているハードウェアによる画像処理機能と情報処理機能とを組み合わせることにより、少ない操作で複数の処理を連続して実行させるマクロ機能が用いられる。このようなマクロ機能の例としては、例えば、スキャナ機能と情報処理機能とを組み合わせることにより、スキャンによって生成された画像情報を、ネットワークを介してアクセス可能な記憶媒体に格納して、文書蓄積の効率化を図るスキャン配信機能がある（例えば、特許文献１参照）。
【０００４】
また、このようなスキャン配信機能においては、スキャンによって生成された画像情報を配信する際のユーザの利便性を高めるため、ユーザの識別情報や部門の識別情報等をユーザに選択させ、選択された識別情報に対応するフォルダを画像情報の配信先とする方法が提案されている（例えば、特許文献２参照）。
【発明の概要】
【発明が解決しようとする課題】
【０００５】
特許文献２に開示されている技術の場合、上述した各種の識別情報と配信先のフォルダとの対応関係を事前に設定する必要があり、その点においてはユーザや管理者に操作を求めることとなる。また、対応関係が設定されたフォルダのみが指定可能であり、フレキシブルなフォルダ設定が出来ないという問題もある。
【０００６】
本発明は、このような課題を解決するためになされたものであり、スキャン配信における配信先のフォルダ設定に係る操作負担の軽減と、フレキシブルなフォルダ設定とを両立することを目的とする。
【課題を解決するための手段】
【０００７】
上記課題を解決するために、本発明の一態様は、ネットワークを介して画像情報を配信する画像処理装置であって、前記画像情報を配信する先の記憶媒体に含まれるフォルダ構成を取得するフォルダ構成取得部と、取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定するフォルダ名指定方法決定部と、前記決定されたフォルダ名の指定方法に基づき、夫々のフォルダ階層毎にフォルダ名を指定するための操作画面を表示部に表示させる操作画面表示処理部と、前記操作画面において指定された前記夫々のフォルダ階層毎のフォルダ名に基づき、前記画像情報を配信する先のフォルダパスを決定するフォルダパス決定部と、前記決定したフォルダパスに格納するために前記画像情報を出力する画像情報出力部とを含み、前記フォルダ名指定方法決定部は、一のフォルダ階層に含まれるフォルダ名が単一であった場合、その単一のフォルダ名をその階層のフォルダ名の既定値として設定することを特徴とする。
【０００８】
また、本発明の他の態様は、ネットワークを介して画像情報を配信する画像処理装置の制御プログラムであって、前記画像情報を配信する先の記憶媒体に含まれるフォルダ構成を取得するステップと、取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定するステップと、一のフォルダ階層に含まれるフォルダ名が単一であった場合、その単一のフォルダ名をその階層のフォルダ名の既定値として設定するステップと、前記決定されたフォルダ名の指定方法に基づき、夫々のフォルダ階層毎にフォルダ名を指定するための操作画面を表示部に表示させるステップと、前記操作画面において指定された前記夫々のフォルダ階層毎のフォルダ名に基づき、前記画像情報を配信する先のフォルダパスを決定するステップと、前記決定したフォルダパスに格納するために前記画像情報を出力するステップとを情報処理装置に実行させることを特徴とする。
【０００９】
また、本発明の更に他の態様は、ネットワークを介して画像情報を配信する画像処理装置の制御方法であって、前記画像情報を配信する先の記憶媒体に含まれるフォルダ構成を取得し、取得した前記フォルダ構成に含まれるフォルダのフォルダ名をフォルダ階層別に参照し、夫々のフォルダ階層に含まれるフォルダ名に基づいて夫々のフォルダ階層毎にフォルダ名の指定方法を決定し、一のフォルダ階層に含まれるフォルダ名が単一であった場合、その単一のフォルダ名をその階層のフォルダ名の既定値として設定し、前記決定されたフォルダ名の指定方法に基づき、夫々のフォルダ階層毎にフォルダ名を指定するための操作画面を表示部に表示させ、前記操作画面において指定された前記夫々のフォルダ階層毎のフォルダ名に基づき、前記画像情報を配信する先のフォルダパスを決定し、前記決定したフォルダパスに格納するために前記画像情報を出力することを特徴とする。
【発明の効果】
【００１０】
本発明によれば、スキャン配信における配信先のフォルダ設定に係る操作負担の軽減と、フレキシブルなフォルダ設定とを両立することができる。
【図面の簡単な説明】
【００１１】
【図１】本発明の実施形態に係る画像処理システムの運用形態を示す図である。
【図２】本発明の実施形態に係る画像処理装置のハードウェア構成を模式的に示すブロック図である。
【図３】本発明の実施形態に係る画像処理装置の機能構成を示すブロック図である。
【図４】本発明の実施形態に係るシステムの動作を示すシーケンス図である。
【図５】本発明の実施形態に係る画像配信先のフォルダ構成を示す図である。
【図６】本発明の実施形態に係るテンプレートの生成動作を示すフローチャートである。
【図７】本発明の実施形態に係る固定値テンプレートの判断動作を示すフローチャートである。
【図８】本発明の実施形態に係る年月日テンプレートの判断動作を示すフローチャートである。
【図９】本発明の実施形態に係るフォーマットの情報を示す図である。
【図１０】本発明の実施形態に係る単語帳テンプレートの判断動作を示すフローチャートである。
【図１１】本発明の実施形態に係るルートフォルダの指定画面を示す図である。
【図１２】本発明の実施形態に係るテンプレート画面を示す図である。
【図１３】本発明の実施形態に係るテンプレートの詳細設定画面を示す図である。
【図１４】本発明の実施形態に係るテンプレートの詳細設定画面を示す図である。
【図１５】本発明の実施形態に係るテンプレートの詳細設定画面を示す図である。
【図１６】本発明の実施形態に係るスキャン対象の原稿の例を示す図である。
【図１７】本発明の実施形態に係るＯＣＲ結果文字情報の例を示す図である。
【発明を実施するための形態】
【００１２】
以下、図面を参照して、本発明の実施形態を詳細に説明する。本実施形態においては、原稿をスキャンすることにより生成された画像情報を、ネットワークを介してアクセス可能な記憶媒体に記憶させるスキャン配信機能を実現する画像処理システムにおいて、画像情報を記憶させるフォルダを指定する際に、記憶媒体において構成されているフォルダ構成に基づいてフォルダ指定に係るユーザインタフェースをテンプレート化する例について説明する。
【００１３】
図１は、本実施の形態に係る画像処理システムの運用形態の例を示す図である。図１に示すように、本実施形態に係る画像処理システムは、画像処理装置１及びＰＣ（Ｐｅｒｓｏｎａｌ  Ｃｏｍｐｕｔｅｒ）２がＬＡＮ（Ｌｏｃａｌ  Ａｒｅａ  Ｎｅｔｗｏｒｋ）等のネットワークを介して接続されて構成される。
【００１４】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。ＰＣ３は一般的な情報処理装置であり、本実施形態に係る画像処理システムにおいては、スキャン配信機能による画像情報の配信先として用いられる。
【００１５】
次に、本実施形態に係る画像処理システムに含まれる画像処理装置１及びＰＣ２のハードウェア構成について説明する。図２は、本実施形態に係る画像処理装置１のハードウェア構成を示すブロック図であるが、ＰＣ２においても同様の構成を有する。図２に示すように、本実施形態に係る画像処理装置１は、情報処理装置としての一般的な構成を有する。
【００１６】
即ち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１は、画像形成出力やスキャンを実行するエンジンを含む。
【００１７】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１８】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが画像処理装置１に情報を入力するためのユーザインタフェースである。
【００１９】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２０】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０及びネットワークＩ／Ｆ１８０を有する。
【００２１】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図３においては、電気的接続を実線の矢印で示しており、用紙の流れを破線の矢印で示している。
【００２２】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２３】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２４】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０を介して入力される信号や命令を主制御部１０１に入力する。また、主制御部１０１は、入出力制御部１０３を制御し、ネットワークＩ／Ｆ１８０及びネットワークを介して他の装置にアクセスする。
【００２５】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データは、スキャナ動作の結果物として画像処理装置１に格納される。また、スキャン配信の場合、上記画像データは、ネットワークＩ／Ｆ１８０を介して他の機器に送信される。操作表示制御部１０５は、ディスプレイパネル１４０に情報表示を行い若しくはディスプレイパネル１４０を介して入力された情報を主制御部１０１に通知する。
【００２６】
画像処理装置１がプリンタとして動作する場合は、まず、入出力制御部１０３がネットワークＩ／Ｆ１８０を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００２７】
画像処理装置１がスキャナとして動作する場合は、ユーザによるディスプレイパネル１４０の操作若しくはネットワークＩ／Ｆ１８０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００２８】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０を介して入出力制御部１０３により外部の装置に送信される。
【００２９】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３０】
このような構成において、本実施形態に係る要旨は、ユーザが画像処理装置１を操作してスキャン配信を実行させる際に、スキャン配信による画像情報の配信先の選択を補助するためのテンプレートを表示することにある。そのため、本実施形態に係る画像処理装置１は、ユーザからフォルダの指定を受け付け、指定されたフォルダをルートフォルダとして、そのフォルダの下層に含まれるフォルダの構成を解析する機能を有する。以下、本実施形態に係るシステムの動作について図４を参照して説明する。図４は、本実施形態に係るシステムの動作を示すシーケンス図である。
【００３１】
図４に示すように、本実施形態に係る画像処理装置１は、先ずユーザからルートフォルダの指定を受け付ける（Ｓ４０１）。本実施形態においては、画像処理装置２に搭載されている記憶媒体内のフォルダがルートフォルダとして指定された場合を例とする。ルートフォルダの指定を受け付けた画像処理装置１は、指定されたフォルダを含む装置に対してネットワークを介してアクセスし、ルートフォルダとして指定されたフォルダ以下のフォルダ構成の情報を取得する（Ｓ４０２）。Ｓ４０２の処理は、主制御部１０１の制御によって実行される。即ち、Ｓ４０２において、主制御部１０１がフォルダ構成取得部として機能する。
【００３２】
フォルダ構成の情報を取得した画像処理装置１は、取得したフォルダ構成の情報に基づき、スキャン配信における配信先フォルダのテンプレート画面を表示するための表示情報を生成して、ディスプレイパネル１４０に表示させる（Ｓ４３０）。これにより、ユーザは、ディスプレイパネル１４０に表示されたテンプレート画面を操作して配信先フォルダを指定することが可能となる。尚、テンプレート画面の詳細については後述する。
【００３３】
ディスプレイパネル１４０に表示されたテンプレート画面に対する操作によってフォルダの指定を受け付け（Ｓ４０４）、ユーザによってスキャン配信の実行命令操作がされると、画像処理装置１はスキャンを実行し（Ｓ４０５）、スキャン結果の画像情報を生成する。スキャン結果の画像情報を生成した画像処理装置１は、スキャン結果の画像情報を解析することにより、その解析結果に基づいてＳ４０４において受け付けたフォルダ指定の内容をチェックする（Ｓ４０６）。Ｓ４０６におけるチェックの手法については後述する。
【００３４】
フォルダ指定の内容のチェックが完了すると、画像処理装置１は、ディスプレイパネル１４０にチェック結果を表示させる（Ｓ４０７）。これにより、ユーザは、ディスプレイパネルに表示されたチェック結果の画面を参照してチェック結果を確認し、必要に応じてフォルダ指定の変更を行った上で、配信実行の操作を行う。
【００３５】
ユーザによって配信実効の操作がされると、画像処理装置１は、ネットワークを介してＰＣ２にアクセスし、Ｓ４０４において受け付けたフォルダ指定またはＳ４０７において表示された画面において変更されたフォルダ指定に従ってＰＣ２に搭載された記憶媒体内にフォルダを作成する（Ｓ４０８）。その後、画像処理装置１は、Ｓ４０７において作成されたフォルダに、スキャン結果の画像情報を配信し（Ｓ４０９）、処理を終了する。
【００３６】
Ｓ４０９においては、主制御部１０１が入出力制御部１０３を制御することによって画像情報の配信を実行させる。即ち、主制御部１０１が、指定されたフォルダパスに対して画像情報を配信するために出力する画像情報出力部として機能する。このような処理により、本実施形態に係るシステムの全体的な動作が完了する。
【００３７】
このように、本実施形態に係る画像処理装置１は、ユーザによって指定されたルートフォルダ以下のフォルダ構成に基づき、ユーザによるフォルダ指定を補助するためのテンプレート画面を生成する。そのため、フォルダの用いられ方に応じたテンプレートが生成され、ユーザによるフォルダ指定を好適に補助することができる。また、生成されるのはテンプレート画面であり、格納先のフォルダが固定されるわけではないため、ユーザによるフレキシブルなフォルダ指定が可能である。
【００３８】
図５は、本実施形態に係るフォルダ構成の例を示す図である。本実施形態に係るシステムにおいては、図５に示すようなフォルダ構成において、夫々の階層毎にフォルダ名が解析され、テンプレートが生成される。以下、本実施形態に係るテンプレートの生成処理について説明する。
【００３９】
図６は、本実施形態に係るテンプレートの生成、表示処理、即ち図４のＳ４０３の処理の詳細を示すフローチャートである。図６に示すように、画像処理装置１において、主制御部１０１は、図４のＳ４０２において取得したフォルダ構成の情報を解析してルートフォルダ以下のフォルダ構成を上層のフォルダから順番に参照し、同一の階層に存在する全フォルダ名を取得する（Ｓ６０１）。
【００４０】
Ｓ６０１における同一の階層に存在する全フォルダとは、いずれかのフォルダの直下に含まれているフォルダのことではなく、ルートフォルダからの階層数が同一であるすべてのフォルダである。即ち、ルートフォルダ直下の階層の場合は、ルートフォルダに含まれる全フォルダ（以降、「第一下層フォルダ」とする）である。図５の例の場合、“共有”のフォルダをルートフォルダとすると、“納品書”のフォルダが第一下層フォルダである。また、ルートフォルダから２階層下の場合、即ち、第一下層フォルダのいずれかに含まれるフォルダ内の場合、全ての第一下層フォルダに夫々含まれている全フォルダ（以降、「第二下層フォルダ」とする）である。図５の例の場合、“納品書”のフォルダに含まれている“２００９年”、“２０１０年”、“２０１１年”、“２０１２年”のフォルダの他、図５においては図示されていないが、“納品書”と同階層のフォルダの直下に含まれているフォルダが第二下層フォルダである。
【００４１】
参照中の階層の全フォルダ名を取得すると、主制御部１０１は、取得したフォルダ名に基づき、固定値のテンプレートを適用するか否か判断する（Ｓ６０２）。Ｓ６０２の処理の詳細については後述する。Ｓ６０２の判断の結果、固定値のテンプレートを適用すると判断した場合（Ｓ６０２／ＹＥＳ）、主制御部１０１は、参照中であるフォルダ階層のテンプレートを固定値に設定する（Ｓ６０３）。
【００４２】
Ｓ６０２の判断の結果、固定値のテンプレートを適用すると判断しなかった場合（Ｓ６０２／ＮＯ）、主制御部１０１は次に、年月日のテンプレートを適用するか否か判断する（Ｓ６０４）。Ｓ６０４の処理の詳細については後述する。Ｓ６０４の判断の結果、年月日のテンプレートを適用すると判断した場合（Ｓ６０４／ＹＥＳ）、主制御部１０１は、参照中であるフォルダ階層のテンプレートを年月日に設定する（Ｓ６０５）。
【００４３】
Ｓ６０４の判断の結果、年月日のテンプレートを適用すると判断しなかった場合（Ｓ６０４／ＮＯ）、主制御部１０１は次に、単語帳のテンプレートを適用するか否か判断する（Ｓ６０６）。ここで、単語調のテンプレートとは、予め定められた複数のフォルダ名の中からいずれか１つを選択することが可能なテンプレートである。Ｓ６０６の処理の詳細については後述する。Ｓ６０６の判断の結果、単語帳のテンプレートを適用すると判断した場合（Ｓ６０６／ＹＥＳ）、主制御部１０１は、参照中であるフォルダ階層のテンプレートを単語帳に設定する（Ｓ６０７）。
【００４４】
Ｓ６０６の判断の結果、単語帳のテンプレートを適用すると判断しなかった場合（Ｓ６０６／ＮＯ）、主制御部１０１は、参照中のフォルダ階層はテンプレート化が不可能であると判断し、参照中のフォルダ階層を任意入力に設定する（Ｓ６０８）。Ｓ６０３、Ｓ６０５、Ｓ６０７、Ｓ６０８のいずれかの処理を完了すると、主制御部１０１は、予め設定された階層分の判断が終了したか否か判断（Ｓ６０９）し、終了していなければ（Ｓ６０９／ＮＯ）、Ｓ６０１からの処理を繰り返す。
【００４５】
他方、予め設定された階層分の判断が終了した場合（Ｓ６０９／ＹＥＳ）、主制御部１０１は、フォルダ階層毎に決定したテンプレートに従ってテンプレート画面を表示するための表示情報を生成し、操作表示制御部１０５を介してディスプレイパネル１４０にテンプレート画面を表示させ（Ｓ６１０）、処理を終了する。
【００４６】
このように、図６に示す動作においては、主制御部１０１が、ＰＣ２のフォルダ構成に基づいて夫々の階層毎のフォルダ名の指定方法を決定するフォルダ名指定方法決定部として機能すると共に、階層毎にフォルダ名を指定するための操作画面であるテンプレート画面をディスプレイパネル１０４に表示させる操作画面表示処理部として機能する。
【００４７】
次に、Ｓ６０２における固定値のテンプレートの適用に係る判断について、図７を参照して説明する。図７に示すように、主制御部１０１は、図６のＳ６０１において取得したフォルダ名がすべて同一か否か判断する（Ｓ７０１）。Ｓ７０１の判断の結果、フォルダ名がすべて同一であれば（Ｓ７０１／ＹＥＳ）主制御部１０１は、固定値のテンプレートを適用することを決定すると共に（Ｓ７０２）、その固定として同一であると判断されたフォルダ名を設定して（Ｓ７０３）、処理を終了する。
【００４８】
他方、フォルダ名がすべて同一でなければ（Ｓ７０１／ＮＯ）、主制御部１０１は、固定値のテンプレートを適用しないことを決定し（Ｓ７０４）、処理を終了する。同一のフォルダ階層のフォルダ名がすべて同一であれば、画像情報の格納の際、その階層においてはそのフォルダ名が用いられることが多いと考えられるため、テンプレートを固定値としてそのフォルダ名を用いることにより、ユーザの操作負担の軽減を図ることができる。
【００４９】
次に、Ｓ６０４における年月日のテンプレートの適用に係る判断について、図８を参照して説明する。図８に示すように、主制御部１０１は、図６のＳ６０１において取得したフォルダ名を１つ選択し（Ｓ８０１）、選択したフォルダ名が年月日フォーマットであるか否か確認する（Ｓ８０２）。
【００５０】
主制御部１０１は、Ｓ８０２において、年月日フォーマットであるか否かを判断するための比較用のフォーマットがリスト化された情報を参照し、選択したフォルダ名がリスト中のフォーマットのいずれかと合致するか否か確認する。図９は、比較用のフォーマットリストの情報の例を示す図である。
【００５１】
Ｓ８０２の判断の結果、選択したフォルダ名が年月日フォーマットである場合（Ｓ８０２／ＹＥＳ）、主制御部１０１は、図６のＳ６０１において取得した他のすべてのフォルダ名が、Ｓ６０２において判断された年月日フォーマットと同一であるか否かを判断する（Ｓ８０３）。その結果、すべてのフォルダ名が同一の年月日フォーマットであった場合（Ｓ８０３／ＹＥＳ）、主制御部１０１は、年月日のテンプレートを適用することを決定すると共に（Ｓ８０４）、その年月日のフォーマットとしてＳ８０２において判断された年月日フォーマットを設定して、（Ｓ８０５）、処理を終了する。
【００５２】
他方、Ｓ８０１において選択したフォルダ名が年月日フォーマットでなかった場合や（Ｓ８０２／ＮＯ）、すべてのフォルダ名が同一の年月日フォーマットではなかった場合（Ｓ８０３／ＮＯ）、主制御部１０１は、年月日のテンプレートを適用しないことを決定し（Ｓ８０６）、処理を終了する。同一のフォルダ階層のフォルダ名がすべて同一の年月日フォーマットであれば、画像情報の格納の際、その階層においてはそのフォーマットが用いられることが多いと考えられるため、テンプレートを年月日として、判断されたフォーマットを用いることにより、ユーザの操作負担の軽減を図ることができる。
【００５３】
尚、図８においては、判断の対象を年月日とし、一のフォルダ階層に含まれるすべてのフォルダ名の形式が図９に示すように予め定められた形式と共通である場合に、その階層に係るフォルダ名の指定方法を決定する場合を例としている。しかしながら、判断の対象は年月日に限らず、様々なフォーマットについて同様の判断を適用可能である。
【００５４】
次に、Ｓ６０６における単語帳のテンプレートの適用に係る判断について、図１０を参照して説明する。図１０に示すように、主制御部１０１は、図６のＳ６０１において取得したフォルダ名を１つ選択し（Ｓ１００１）、選択したフォルダ名と重複しているフォルダ名が取得した他のフォルダ名にあるか否か確認する（Ｓ１００２）。Ｓ１００２の判断の結果、重複しているフォルダ名があった場合（Ｓ１００２／ＹＥＳ）、主制御部１０１は、単語帳のテンプレートを適用することを決定すると共に（Ｓ１００３）、その選択肢として判断中のフォルダ階層に含まれる全フォルダ名を設定して（Ｓ１００４）、処理を終了する。
【００５５】
Ｓ１００２の判断の結果、重複しているフォルダ名がなかった場合（Ｓ１００２／ＮＯ）、主制御部１０１は、図６のＳ６０１において取得したすべてのフォルダ名についてＳ１００２の判断を行っていれば（Ｓ１００５／ＹＥＳ）、主制御部１０１は、単語帳のテンプレートを適用しないことを決定し（Ｓ１００６）、処理を終了する。また、図６のＳ６０１において取得したすべてのフォルダ名についてＳ１００２の判断を行っていなければ（Ｓ１００５／ＮＯ）、主制御部１０１は、Ｓ１００１からの判断を繰り返す。
【００５６】
このような処理により、単語帳フォーマットの判断処理が完了する。図５に示すフォルダ構成の例においては、“検収済”というフォルダが“ＡＡＡ”というフォルダの直下及び“ＤＤＤ”というフォルダの直下に夫々存在している。即ち、同一のフォルダ階層において“検収済”というフォルダ名が複数存在している。このような場合、“ＢＢＢ”や“ＣＣＣ”等、他のフォルダ直下においても同一のフォルダ名が用いられることが考えられる。また、図５に示す“未検収”のように、その階層において現在は１つのフォルダにしか用いられていないフォルダ名であっても、上記“検収済”と同様に、他のフォルダ直下においても用いられる可能性があると考えられる。従って、図１０に示すような処理によって、重複したフォルダ名が存在する場合に単語帳フォーマットの適用を判断することにより、ユーザの操作負担の軽減を図ることができる。
【００５７】
次に、本実施形態に係る画像処理装置１のディスプレイパネル１０４に表示される各種のＧＵＩ（Ｇｒａｐｈｉｃａｌ  Ｕｓｅｒ  Ｉｎｔｅｒｆａｃｅ）について説明する。図１１は、図４のＳ４０１においてディスプレイパネル１０４に表示されるルートフォルダの指定受付画面を示す図である。図１１に示すように、ルートフォルダ指定画面においては、“ホスト名”、“ドメイン名”によってアクセスする先の装置が指定される。
【００５８】
また、図１１に示す“ユーザ名”、“パスワード”は、画像処理装置１からネットワークを介して画像処理装置２等の他の機器にアクセスする際に必要な認証情報である。そして、図１１に示す“ルートフォルダ”によって、アクセスする先の画像処理装置２に含まれるフォルダが指定される。
【００５９】
図１２は、図４のＳ４０３においてディスプレイパネル１０４に表示される配信先フォルダのテンプレート画面を示す図である。図１２に示すように、テンプレート画面においては、“１階層”、“２階層”、“３階層”・・・のように、ルートフォルダからの階層別に、夫々フォルダ名の入力欄が表示される。そして、夫々の階層毎のフォルダ名の入力欄は、上述したような処理によって決定されたテンプレートによって構成されている。また、図１２に示すように、“配信先フォルダ”の欄には、上記階層別に設定されたフォルダ名に応じたフォルダパスが表示される。
【００６０】
フォルダを指定する際、エクスプローラ等のようなファイルブラウジング用のアプリケーションにより、目的のフォルダまで下位層順にフォルダを指定していくことが一般的である。このような場合、フォルダ階層が深くなると、参照しなければならないフォルダ数が増えて操作負担が増大すると共に、フォルダの枝分かれによっては目的のフォルダに到達するのが困難になる。
【００６１】
これに対して、図１２に示すようなテンプレート画面によれば、ユーザは、夫々の階層別に設定されたテンプレートに従って情報を入力することにより、簡単な操作で配信先のフォルダを指定することが可能となる。このような画面において階層毎にフォルダ名が指定されると、主制御部１０１は、夫々の階層について指定されたフォルダ名に基づいて生成されたフォルダパスを画像情報の配信先として決定する。即ち、主制御部１０１がフォルダパス決定部として機能する。
【００６２】
図１３は、固定値テンプレートにおける詳細設定画面を示す図である。図１３に示すように、“固定値”がテンプレートとして選択されている場合、Ｓ７０３において設定されたフォルダ名が入力欄に表示されている。ユーザは、ディスプレイパネル１０４を操作して、この入力欄の文字を編集することにより、固定値を変更することも可能である。
【００６３】
図１４（ａ）、（ｂ）は、年月日テンプレートにおける詳細設定画面を示す図である。図１４（ａ）、（ｂ）に示すように、“年月日”がテンプレートとして選択されている場合、Ｓ８０５において設定された年月日フォーマットが入力欄に表示されている。ユーザは、ディスプレイパネル１０４を操作して、“ｙｙｙｙ”や“ｍｍ”等のフォーマットに従って年月日を入力する。
【００６４】
図１５（ａ）、（ｂ）は、単語帳テンプレートにおける詳細設定画面を示す図である。図１５（ａ）、（ｂ）に示すように、単語帳テンプレートの場合、“単語帳１”、“単語帳２”・・・のように、単語帳の種類を選択するインタフェースが表示される。また、図１５（ａ）に示すように、夫々の種類の単語帳の設定をする画面を表示することも可能である。そして、単語帳の種類が選択された場合、図１５（ｂ）に示すように、その単語帳に登録されているフォルダ名が選択肢として表示される。
【００６５】
図１６は、任意入力の場合における詳細設定画面を示す図である。図１６に示すように、任意入力の場合、特に設定するべき事項がないため、テンプレートの選択画面のみが表示される。このような画面に対するユーザの操作により、Ｓ４０４におけるフォルダ指定の受付処理が実行される。
【００６６】
次に、Ｓ４０６の処理について説明する。図１６は、スキャン対象の原稿の例を示す図である。本実施形態に係るスキャン配信処理において、主制御部１０１は、スキャン結果の画像情報を取得すると、スキャン結果の画像情報に基づいてＯＣＲ（Ｏｐｔｉｃａｌ  Ｃｈａｒａｃｔｅｒ  Ｒｅｃｏｇｎｉｔｉｏｎ）を実行するように画像処理部１０４を制御する。図１７は、図１６に示す画像に基づくＯＣＲによって生成された文字情報の例を示す図である。
【００６７】
図１７に示すような文字情報（以降、「ＯＣＲ結果文字情報」とする）が生成されると、主制御部１０１は、Ｓ４０４において受け付けたフォルダ指定の結果を参照し、各階層のフォルダ名とＯＣＲ結果文字情との比較処理を行う。例えば、図１２に示すように固定値として“納品書”と言うフォルダ名が指定されていた場合、ＯＣＲ結果文字情にも“納品書”が含まれるため、主制御部１０１は“納品書”というフォルダ名の指定は正しいと判断する。
【００６８】
他方、ＯＣＲ結果文字情に“納品書”が含まれない場合や、“発注書”、“請求書”等の“納品書”とは趣旨の異なる文字情報が含まれている場合、主制御部１０１は、Ｓ４０７において、“納品書”というフォルダ名の再確認をユーザに促すようなチェック結果をディスプレイパネル１０４に表示させる。このような文字情報の趣旨が異なることの認識については、画像処理装置１において予め辞書情報を登録しておくことにより可能である。
【００６９】
同容に、ＯＣＲ結果文字情報には、検査や検収が完了したことを示すような“検”という文字情報が含まれている。これに対して、図５のようなフォルダ構成の場合、単語帳テンプレートのフォルダ名指定においては、“検収済”、“未検収”といったフォルダ名の指定があり得る。この場合、ＯＣＲ結果文字情報に含まれる“検”という文字情報に基づき、“検収済”、“未検収”といったフォルダ名にチェックをかけることも可能である。即ち、“検収済”であれば、正確なフォルダ名の指定、“未検収”であれば、ユーザに警告を通知するべきフォルダ名の指定であることが判断可能である。
【００７０】
また、図５に示すフォルダ構成においては、“ＡＡＡ”、“ＢＢＢ”といった文字列のフォルダ階層がある。この文字列が人の氏名を示す文字列である場合、ＯＣＲ結果文字情報にそのような氏名を示す文字列が含まれているか否かを判断することも可能である。同様に、年月日フォーマットのフォルダ名においては、フォルダ名として指定された年月日がＯＣＲ結果文字情報に含まれているか否か判断することにより、チェックすることが可能である。
【００７１】
このように、主制御部１０１は、画像情報の配信先として指定されているフォルダ名が、ＯＣＲ結果文字情報に含まれているか否か、指定されているフォルダ名と趣旨を同じくする文字情報がＯＣＲ結果文字情報に含まれているか否かに基づき、ユーザによるフォルダ名の指定をチェックすることが可能であり、フォルダ指定の正確性を向上することが可能である。
【００７２】
以上、説明したように、本実施形態に係る画像処理システムにおいては、スキャンによって生成された画像情報を配信する先の記憶媒体において構成されたフォルダ構成をフォルダ階層毎に解析し、その解析結果に基づいてフォルダ指定用のテンプレート、即ちフォルダ名の指定方法を決定する。その際、ある階層に含まれるフォルダ名がすべて同一であった場合、その階層のフォルダ名については固定値としてその同一のフォルダ名を用いる。このような処理により、スキャン配信における配信先のフォルダ設定に係る操作負担の軽減と、フレキシブルなフォルダ設定とを両立することが可能となる。
【００７３】
尚、上記実施形態においては、図４のＳ４０６、Ｓ４０７に示すように、スキャン結果に基づくフォルダ指定のチェックを行う場合を例として説明した。これは一例であり、本実施形態に係る要旨は上述したフォルダ構成の解析によるテンプレート生成にある。従って、Ｓ４０６、Ｓ４０７の処理は省略しても良い。
【００７４】
また、上記実施形態においては、図４のＳ４０７に示すように、必ずチェック結果を表示する場合を例として説明した。この他、上述したようなチェック処理によりユーザに警告を通知する必要がある場合、即ち、フォルダの指定が間違っている可能性があると判断された場合にのみチェック結果を表示するようにしても良い。これにより、ユーザによる不要な操作を省略し、ユーザの利便性を更に向上することができる。
【００７５】
また、上述したようにスキャン結果の画像に基づくＯＣＲの結果をフォルダ指定のチェックに用いる場合の他、他の情報をチェックに用いることも可能である。例えば、年月日フォーマットについては、上述したようなＯＣＲ結果文字情報の他、ＲＴＣ（Ｒｅａｌ  Ｔｉｍｅ  Ｃｌｏｃｋ）から取得した現在時刻に基づいてチェックをかけることも可能である。
【００７６】
また、上記実施形態においては、スキャン結果の画像に基づくＯＣＲの結果をフォルダ指定のチェックに用いる場合を例として説明した。この他、上述したようにフォルダ構成に基づいたテンプレートを生成した上で、そのテンプレートの中でＯＣＲに結果に基づくフォルダ指定を行うようにしても良い。
【００７７】
上述したテンプレートにおいてユーザによる操作を要するのは年月日テンプレートや単語帳テンプレートである。従って、主制御部１０１は、図１７に示すようなＯＣＲ結果文字情報に基づき、年月日テンプレートの階層については、ＯＣＲ結果文字情報に含まれる年月日フォーマットの情報を、単語帳テンプレートの階層については、ＯＣＲ結果文字情報に含まれる文字も情報と一致する選択肢を、夫々フォルダ名として決定することができる。
【００７８】
配信対象の画像のＯＣＲ結果に基づいて単純にフォルダ名を決定するような場合、階層の深いフォルダ構成になると、その信頼性が低下する。これに対して、本実施形態においては、図１２に示すように階層毎にテンプレートを生成した上で、そのテンプレートの範囲内でＯＣＲ結果を利用するため、フォルダ目の決定結果に対する信頼性を向上することができる。
【００７９】
また、画像処理装置１を利用する際に、ユーザの認識情報等を入力することによって画像処理装置１の利用権限を認証するような装置の運用形態があり得る。そのような場合、認証されたユーザの氏名の情報を用いて、フォルダ指定のチェックを行うことが可能である。即ち、上述したように“ＡＡＡ”、“ＢＢＢ”等の文字情報が氏名の情報であった場合、指定されたフォルダ名の文字列が認証されたユーザの氏名と一致した場合に、そのフォルダ名の正当性を肯定する判断を行うことができる。
【００８０】
また、上記実施形態においては、図１１において説明したように、ユーザがルートフォルダを指定する場合を例として説明した。この他、上述したような認証処理によって認証されたユーザに関連付けられている情報に基づいてルートフォルダを判断しても良い。このような処理により、ユーザの操作負担を更に軽減することが可能である。
【００８１】
また、上記実施形態においては、スキャン配信機能を前提としてシステムの動作を説明したが、本実施形態に係る要旨はスキャン配信に限らず、画像処理装置１からネットワークを介して画像情報を配信するような場合において同様に適用することが可能である。即ち、画像処理装置１に搭載された記憶媒体に格納されている画像情報を配信するような場合や、ファイルサーバに格納されている画像情報を配信するような場合、図４のＳ４０５に係るスキャンの実行処理を省略し、画像処理装置１の主制御部１０１が配信対象の画像情報を取得することによって、上記と同様の処理を実行することが可能であり、同様の効果を得ることができる。
【００８２】
また、上記実施形態においては、図６において説明した動作を画像処理装置１の主制御部１０１が実行する場合、即ち、配信先を決定するテンプレートの作成機能が画像処理装置１に搭載されている場合を例として説明した。しかしながら、図６のＳ６０１〜Ｓ６０９の処理を実行する機能は、画像処理装置１外部のサーバ等に委ねることが可能である。そして、画像処理装置１においては、外部のサーバ等で生成されたテンプレート画面の表示情報を取得してディスプレイパネル１０４に表示させることにより、上記と同様の効果を得ることが可能である。
【符号の説明】
【００８３】
１  画像処理装置
２  ＰＣ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
【先行技術文献】
【特許文献】
【００８４】
【特許文献１】特開２００２−７７１７７号公報
【特許文献２】特開２００２−７７５００号公報
【図１】
0005939043.tif 000002
【図２】
0005939043.tif 000003
【図３】
0005939043.tif 000004
【図４】
0005939043.tif 000005
【図５】
0005939043.tif 000006
【図６】
0005939043.tif 000007
【図７】
0005939043.tif 000008
【図８】
0005939043.tif 000009
【図９】
0005939043.tif 000010
【図１０】
0005939043.tif 000011
【図１１】
0005939043.tif 000012
【図１２】
0005939043.tif 000013
【図１３】
0005939043.tif 000014
【図１４】
0005939043.tif 000015
【図１５】
0005939043.tif 000016
【図１６】
0005939043.tif 000017
【図１７】
0005939043.tif 000018